(57)【要約】【課題】粉体や顆粒タイプの人工骨材を欠損部分に充填する時、速やかに、適正量充填できるようにする。【解決手段】略円筒の外枠２の内部に、粉体や顆粒タイプの人工骨材３を袋状包装体４に収納し、スライダー５を移動させることで、袋状包装体４の開口部４３が反転して、粉体や顆粒タイプの人工骨材３を供給できるようにした。このように構成することで、包装状態のまま充填部に近接できて、局部を狙って粉体や顆粒タイプの人工骨材を適量供給できるため、正確で施術時間の大幅な短縮が計れる。【選択図】図１
2014161714.tif 000002
【特許請求の範囲】
【請求項１】
粉体や顆粒状の材料を包装する包装構造であって、材料を中包装体と共に移動させ、供給位置で、中包装体を除去することで、材料を放出するよう構成したことを特徴とする包装構造。
【請求項２】
特許請求項１の包装構造において、中包装体を除去する方法として、中包装体を反転または、剥離しながら反転するように構成した事を特徴とする包装構造。
【請求項３】
特許請求項１の包装構造において、粉体や顆粒状の材料を包装する少なくとも中包装体の開口部を締め付ける手段を持つことを特徴とする包装構造。
【請求項４】
粉体や顆粒状の材料を包装する包装構造であって、略筒状の保持部材とその内部に粉体や顆粒状の材料を包装する中包装体の開口部を反転または剥離しながら反転、または破きながら、材料を中包装体と共に移動させる手段からなることを特徴とする包装構造。
【請求項５】
請求項４の包装構造であって、少なくとも該中包装体が弾性部材からなることを特徴とする包装構造。
【請求項６】
請求項４の包装構造であって、少なくとも該中包装体の開口部に開口部を窄ませる構造または手段を持つことを特徴とする包装構造。
【発明の詳細な説明】
【技術分野】
【０００１】  本発明は、粉体や顆粒タイプの生体材料の包装に関するものである。
【背景技術】
【０００２】  従来、事故や病気等で欠損した骨を治療する人工骨材としてハイドロキシアパタイトやβ−ＴＣＰが用いられている。
これらは欠損部分の状態に応じて、上記人工骨材をブロック状にして充填したり、粉体や顆粒タイプで充填したりしていた。【０００３】  しかし、粉体や顆粒タイプの人工骨材は欠損部分に充填する時、補充すべき部分以外に落とさないように、粉体は液体と混合して、スラリー状にしてシリンジで補充したり、顆粒タイプでは少量ずつ、スプーンやピンセットで充填したりと取り扱いが難しかった。【０００４】  顆粒タイプの人工骨材はその改善策として、狙って充填するために、従来はジョウロの口を充填部に狙いを定めて、ジョウロの広口側に人工骨材を入れ、ジョウロを振動させながら落下させていた。しかし、このような操作では、補充材は硬度が高く、多孔質で角張っているため、ジョウロを削ってジョウロの成分が人工骨材に混入したり、人工骨材そのものがジョウロの絞り部に引っかかって上手く充填できないという欠点があった。
【先行技術文献】
【０００５】
【特許文献１】［特許公開平５−１５５８２］に生体材を水和硬化防止の包装方法があるが、作業性を高めた包装構造の発案はない。
【発明の概要】
【発明が解決しようとする課題】
【０００６】  解決しようとする問題点は、粉体や顆粒タイプの人工骨材を欠損部分に充填する時、速やかに、適正量充填できない点である。
【課題を解決するための手段】
【０００７】  本発明は、粉体や顆粒タイプの人工骨材を欠損部分に充填する時、速やかに、適正量充填できるようにするために、包装状態からそのまま直接患部に供給できるようにすることを最も主要な特徴とする。
【発明の効果】
【０００８】  本発明の包装は、包装状態のまま充填部に近接できて、局部を狙って粉体や顆粒タイプの人工骨材を適量供給できるため、正確で施術時間の大幅な短縮が計れるという利点がある。
【図面の簡単な説明】
【０００９】
【図１】図１は包装構造の第一の実施方法を示した説明図である。
【図２】図２は外包装と栓をはずして、供給できる状態の実施方法を示した説明図である。
【図３】図３は供給途中で止めたところを示した説明図。
【図４】図４は全て排出したところをしました図。
【図５】図５は別の包装構造の第二の実施方法を示した説明図である。
【図６】図６は他の包装構造の第三の実施方法を示した説明図である。
【図７】図７は導入筒を用いた実施例を示した説明図である。
【図８】図８は導入筒を用いた他の実施例を示した説明図である。
【発明を実施するための形態】
【００１０】  粉体や顆粒タイプの人工骨材を速やかに適量供給するという目的を、包装形態で実現した。
【実施例１】
【００１１】  図１は、本発明装置の１実施例の包装全体を示す。１は外包装である。１１は表面の透明フィルム  、１２は裏面の紙であり、１３は熱により１１の透明フィルムと１２の紙を溶着シールしたシール部１３で、中の包装形態を密閉した状態を示す。【００１２】次に中の包装形態を説明する。２は透明の略円筒の外枠で、２１は円筒部、２２は指掛け部、２３は空気穴である。【００１３】  ３は粉体や顆粒タイプの人工骨材を示す。４は弾性をもつシリコンの中包装体で、４１は固定部、４２は人工骨材収納部で、４３は開口部である。５はスライダーで、円筒部２１をガイドに摺動容易に構成されている。【００１４】    ５１は指掛け部、５２は中包装体４の固定部４１を支持する中包装体支持部である。６は栓である。【００１５】  次に、この作用を説明する。使用時にはまず、外包装１の透明フィルム１１と紙１２を剥がし、中の包装形態を取り出す。【００１６】  図２は次に栓６を外した状態である。栓６を外しても、中包装体４は弾性力で口が窄まるので、開口部４３を下に向けても中の粉体や顆粒タイプの人工骨材３は不用意に排出されない。【００１７】  この状態で、指掛け部２２に親指を、スライダー５の指掛け部５１に人差し指と中指を掛け、開口部４３を充填部に近接する。【００１８】  図３において、スライダー５の指掛け部５１に褂けた人差し指と中指を親指に近づくように寄せることで、スライダー５は外枠２の外周をガイドに指掛け部２２側へ移動する。すると、袋状包装体４の開口部４３はめくれて、外枠２の外周に反転しながら中包装体４を外枠２から引き出すことになる。同時に中包装体４の中の粉体や顆粒タイプの人工骨材３は人工骨材収納部４２とともに外枠２から開口部４３にむかって、移動する。その時空気穴２３から外枠２の内部の空いた空間に空気が流入する。【００１９】  スライダー５の動きを停めると、開口部４３の周辺は弾性力で窄まろうとする力で粉体や顆粒タイプの人工骨材３は締め付けられており、排出は止められる。【００２０】  図４において、スライダー５を指掛け部２２にぶっつかる位置までスライドさせると、  中包装体４は全て反転し、中の粉体や顆粒タイプの人工骨材３はすべて排出される。【００２１】  中包装体４がかならずしも弾性体でなくてもよい、その場合は弾性部が開口部４３の部分に固定した別部材であっても同じ効果が得られる。中包装体４全体が弾性体である場合は、輸送時の振動や落下等で、顆粒タイプの人工骨材が擦れて粉になることを防止することができる。【００２２】  外枠２は透明で中身が見えるものであってもよい。また、外枠に目盛りが有れば、排出量がスライダーの位置によりより正確にわかる。弾性体の窄まる力が強く完全に閉じることができれば、栓６は必ずしも必要ではない。スライダー５は実施例では指掛けでスライドさせたが、紐状のものを付け、紐を引くことでスライダー５を移動させるようにしてもよい。
【実施例２】
【００２３】  図５は別の実施例を示す。中包装体は外包装体と同じように、透明フィルム１１と紙１２を溶着シール１３で個々の密閉した空間に一定量の粉体や顆粒タイプの人工骨材３を保持、つなげた状態でセットされている。従って、透明フィルム１１と紙１２を溶着シール１３で個々の密閉した空間をいくつ剥離反転させるかで、正確な量を排出できる。
【実施例３】
【００２４】  図６はまた別の実施例を示す。この場合も中の包装体は外包装体と同じように、透明フィルム１１と紙１２を溶着シール１３で密閉した空間に一定量の粉体や顆粒タイプの人工骨材３をつなげた状態でセットされている。この空間は開口部側が狭くなるように形成されている。従って、透明フィルム１１と紙１２を溶着シール１３で密閉した空間を反転剥離させた位置が常に最も狭い開口部であるため、中の粉体や顆粒タイプの人工骨材３は開口を下に向けても落ちにくいので、図１のように、弾性をもつシリコンの中包装体４でしめつけていなくとも、反転剥離量でほぼ正確な排出が可能である。
【実施例４】
【００２５】  図７は他の実施例を示す。７は導入筒である。包装材の開口部４３を直接充填部に近づけられない場合は、導入部７の先端を充填部に近接させ、手前の開口部に中の包装形態をセットし、中の粉体や顆粒タイプの人工骨材３を排出し、導入筒７を介して、充填部へ導く。この場合、導入筒７は図７のように、少なくとも、手前の開口部は包装形態の開口部より広いことが好ましい。より好ましくは充填部側開口が包装形態と向かい合う開口より大きくすることで、導入筒７内で詰まりが起きない。
【実施例５】
【００２６】  図８は導入筒７を用いた他の実施例を示す。この場合、導入筒７に、スライダー５を引っ掛け、外枠２を導入筒７へ押し込むことで、中包装体４を反転剥離させ、中の粉体や顆粒タイプの人工骨材３を排出する。
【産業上の利用可能性】
【００２７】    本発明の包装は、包装状態のまま充填部に近接できて、局部を狙って粉体や顆粒タイプの人工骨材を正確に早く適量供給できるという利点があるので、流体でなく粒度があって供給しにくい材料の供給手段としても適用できる。
【符号の説明】
【００２８】  １        外包装
２        外枠
３        粉体や顆粒タイプの人工骨材
４        袋状包装体
５        スライダー
６        栓
７        導入筒
【図１】
2014161714.tif 000003
【図２】
2014161714.tif 000004
【図３】
2014161714.tif 000005
【図４】
2014161714.tif 000006
【図５】
2014161714.tif 000007
【図６】
2014161714.tif 000008
【図７】
2014161714.tif 000009
【図８】
2014161714.tif 000010